(57)【特許請求の範囲】
【請求項１】
前面に本体開口が形成され、前記本体開口と連通する中空部が形成された本体部と、
前記本体部の前記本体開口に取り付けられた枠部と、
前記中空部に収納され、押し釦が押下されることによって火災信号を発信する押下式スイッチと、
前記中空部において前記押し釦の前方に配置されて前記本体部の前記本体開口を遮蔽して前記押し釦を保護すると共に、前記押し釦と共に押下される保護部と、を備え、
前記枠部及び前記保護部の少なくとも一方は磁性体を有し、
前記保護部は、磁力によって前記枠部に着脱自在に取り付けられており、前記押し釦側に押下されることによって、前記枠部から取り外されるものであり、
前記保護部は、前記枠部側の面に、指を掛ける指掛け部を有し、
前記保護部と前記押し釦とは、近接して配置されており、前記押し釦側に押下されて前記枠部から取り外されているときに、前記押し釦の前面に沿ってスライドさせることで、磁力により前記枠部に取り付け可能とされている
ことを特徴とする発信機。
【請求項２】
前記指掛け部は、前記保護部の表面から凹んでいる
ことを特徴とする請求項１記載の発信機。
【発明の詳細な説明】
【技術分野】
【０００１】
本発明は、火災信号を発信する発信機に関する。
【背景技術】
【０００２】
従来、トンネルの内部に取り付けられた防水型の発信機が知られている。発信機は、火災を発見した人によって押下されると、管理室に設置された防災盤等に火災信号を発信する。特許文献１には、発信機の内部に応答表示灯が設けられた防災装置が開示されており、特許文献１の防災装置は、例えばトンネルの内部の消火栓等に用いられる。特許文献１の発信機は、取付部材及び枠部材との間の中空部に押し釦スイッチを押下するスイッチノブが収納されており、スイッチノブの前方には、枠部材に取り付けられた保護板が配置されている。火災を発見した人は、保護板を押下することによって、保護板を介してスイッチノブを押下する。その際、保護板は、枠部材から外れて、取付部材の内部に落下して留まる。
【先行技術文献】
【特許文献】
【０００３】
【特許文献１】特開２０１１−８６２２４号公報（段落［００５６］及び図９（Ｂ））
【発明の概要】
【発明が解決しようとする課題】
【０００４】
しかしながら、特許文献１に開示された防災装置は、火災信号が発信された後の復旧作業において、枠部材を取り外して保護板を取り出し、保護板を再度枠部材に装着して、枠部材を取り付ける必要がある。このように、特許文献１は、復旧時の作業が煩雑である。
なお、保護板は、発信機が押下されたことが目視で分かるように、外れたり、破れたりする等、押下される前とは、状態が変化することが求められている。
【０００５】
本発明は、上記のような課題を背景としてなされたもので、復旧時の作業が簡易な発信機を提供するものである。
【課題を解決するための手段】
【０００６】
本発明に係る発信機は、前面に本体開口が形成され、本体開口と連通する中空部が形成された本体部と、本体部の本体開口に取り付けられた枠部と、中空部に収納され、押し釦が押下されることによって火災信号を発信する押下式スイッチと、中空部において押し釦の前方に配置されて本体部の本体開口を遮蔽して押し釦を保護すると共に、押し釦と共に押下される保護部と、を備え、枠部及び保護部の少なくとも一方は磁性体を有し、保護部は、磁力によって枠部に着脱自在に取り付けられており、押し釦側に押下されることによって、枠部から取り外されるものであり、保護部は、枠部側の面に、指を掛ける指掛け部を有し、保護部と押し釦とは、近接して配置されており、押し釦側に押下されて枠部から取り外されているときに、押し釦の前面に沿ってスライドさせることで、磁力により枠部に取り付け可能とされていることを特徴とする。
【発明の効果】
【０００７】
本発明によれば、保護部は、磁力によって枠部に取り付けられている。このため、保護部が押し釦側に押下されて本体部内に落下しても、枠部の外側から保護部を動かすだけで、磁力によって保護部が枠部に再び取り付けられる。よって、復旧時に、枠部を取り外す必要がないため、復旧時の作業が簡易である。
【図面の簡単な説明】
【０００８】
【図１】本発明の実施の形態１における防災設備２を示す模式図である。
【図２】本発明の実施の形態１に係る発信機１を示す正面図である。
【図３】本発明の実施の形態１に係る発信機１を示す側面断面図である。
【図４】本発明の実施の形態１における枠部２３及び保護部２６を示す側面断面図である。
【図５】本発明の実施の形態１に係る発信機１の動作を示す側面断面図である。
【図６】本発明の実施の形態１に係る発信機１の動作を示す側面断面図である。
【図７】本発明の実施の形態１に係る発信機１の動作を示す側面断面図である。
【図８】本発明の実施の形態１に係る発信機１の動作を示す側面断面図である。
【図９】本発明の実施の形態１に係る発信機１の動作を示す側面断面図である。
【発明を実施するための形態】
【０００９】
実施の形態１．
以下、本発明に係る発信機の実施の形態について、図面を参照しながら説明する。なお、以下に説明する実施の形態によって本発明が限定されるものではない。また、図１を含め、以下の図面では各構成部材の大きさの関係が実際のものとは異なる場合がある。図１は、本発明の実施の形態１における防災設備２を示す模式図である。この図１に基づいて、防災設備２について説明する。図１に示すように、防災設備２は、例えばトンネルの内部に設置されるものであり、筐体３と、扉４と、発信機１とを有している。筐体３は、例えば直方体状をなしており、内部に消火器又は消火栓等が設置されている。扉４は、筐体３の前面に取り付けられており、人が取っ手４ａを引いて扉４を開くことによって、筐体３の内部に設置された消火器又は消火栓等を使用することができる。発信機１は、筐体３の前面において扉４の隣に設けられている。
【００１０】
図２は、本発明の実施の形態１に係る発信機１を示す正面図である。図２に示すように、発信機１は、例えば火災を発見した人によって押下されると、管理室等に設置された防災盤に火災信号を発信する。発信機１は、円状をなしており、防災設備２の筐体３に取り付けられている。発信機１の外周に配置された化粧板２７には、周状に形成された４個の取付穴２７ａが設けられている。防災設備２の筐体３において、発信機１が取り付けられる位置の裏面側には、４個のボルト（図示せず）が周状に溶接されており、発信機１が筐体３の内部から筐体３に取り付けられる際、化粧板２７の取付穴２７ａにボルトが挿入され、ナット（図示せず）で固定される。これにより、発信機１が筐体３に取り付けられる。なお、発信機１の中央に配置された保護部２６には「強く押す」といった文字が記載されている。
【００１１】
図３は、本発明の実施の形態１に係る発信機１を示す側面断面図である。発信機１は、後方側の発信部１１と前方側の操作部２１と、発信部１１と操作部２１とにより格納された押下式スイッチ５とを有している。
押下式スイッチ５は、防災盤等と電気的に接続するための端子部２８を有するスイッチ部１４と、押下することでスイッチ部１４のオン又はオフを切り替える押し釦２４とを備え、後述するベース１２に取り付けられている。
発信部１１は、火災信号を発信するものであり、ベース１２と、押さえ板１３と、押下式スイッチ５のスイッチ部１４と、カバー１５とを有している。ベース１２は、操作部２１に取り付けられた円状の板部材であり、例えばＡＢＳ樹脂からなる。押さえ板１３は、カバー１５をベース１２に押える環状の板部材であり、例えばステンレスからなる。カバー１５は、螺子１６によってベース１２に取り付けられた有底筒状の部材であり、スイッチ部１４を覆って保護するものである。カバー１５は、例えばクロロプレンゴムからなる。
【００１２】
操作部２１は、本体部２２と、枠部２３と、押下式スイッチ５の押し釦２４と、キャップ２５と、保護部２６と、化粧板２７とを有している。本体部２２は、防災設備２の開口３ａに取り付けられ、前面に本体開口２２ｄが形成され、本体開口２２ｄと連通する中空部２２ａが形成された有底円筒状の部材であり、底面には押し釦２４が貫通する貫通穴を有している。本体部２２は、例えばステンレスからなり、例えばニトリルゴムからなるパッキン１２ａを介してベース１２に取り付けられている。枠部２３は、本体開口２２ｄに取り付けられて、本体部２２との間に中空部２２ａを形成し、中央に開口する枠開口２３ａが形成された環状の部材である。枠部２３は、例えばポリカーボネート樹脂からなり、本体部２２に取り付けられている。押し釦２４は、中空部２２ａに収納され、押下されることによって火災信号を発信するものである。
【００１３】
押下式スイッチ５は、スイッチ部１４と押し釦２４とで構成されており、押し釦２４が押下されると、押下された押し釦２４の一部は、スイッチ部１４の内部に挿入される。これにより、押し釦２４がオンされた状態となる。再度、押し釦２４が押下されると、押下された押し釦２４が元の位置に戻りオフの状態となる。本実施の形態１では、押し釦２４が押下されると、オンされた状態が保持される自己保持型スイッチについて例示している。自己保持型スイッチでは、押し釦２４が一度オンされると、押し釦２４がスイッチ部１４の内部に挿入され、押し釦２４の押下が解除されて（指を離して）も、押し釦２４がスイッチ部１４の内部に挿入されたまま（オンを保持）である。押し釦２４が再度押下されると、押し釦２４がスイッチ部１４の内部から突出し、オフ状態に戻る。つまり、押下式スイッチ５において、押し釦２４は押下されるたびに、スイッチ部１４の内部に押し込まれた状態とスイッチ部１４から突出した状態とを交互に保持する。
なお、押下式スイッチ５は、非保持型でもよい。非保持型では、押し釦２４が押下されている間だけ、押し釦２４がスイッチ部１４の内部に挿入されてオンされた状態となり、押し釦２４の押下が解除されると、押し釦２４がスイッチ部１４の内部から引き出されてオフされた状態に戻る。この場合、火災信号は受信する側で保持される。
【００１４】
キャップ２５は、押し釦２４に沿った形状の部材であり、押し釦２４を覆って保護するものである。キャップ２５は、例えばニトリルゴムからなり、押し釦２４が押し込まれると、それに対応して変形する。なお、押し釦２４がスイッチ部１４の内部に挿入された状態（オン）で、押し釦２４の押下が解除される（指を離す）と、キャップ２５のみが押下される前の形状に戻る。
【００１５】
発信機１は、押下式スイッチ５をキャップ２５、本体部２２、パッキン１２ａ、ベース１２及びカバー１５で覆うことにより、防水・防塵構造としている。
【００１６】
保護部２６は、中空部２２ａにおいて押し釦２４の前方に配置されて本体部２２の本体開口２２ｄを遮蔽して押し釦２４を保護すると共に押し釦２４の押下に利用され、磁力によって枠部２３に着脱自在に取り付けられたものである。保護部２６は、例えば透光性を有するメタクリル樹脂からなり、円状をなしている。保護部２６は、防災設備２の開口３ａ及び枠部２３の枠開口２３ａを閉じている。化粧板２７は、枠部２３の外周を覆う環状の部材であり、防災設備２の筐体３に取り付けられることによって、防災設備２の内部の露出を防止するものである。化粧板２７の中央は開口されており、これにより、人は、防災設備２の外側から保護部２６を押下することができる。
なお、保護部２６の形状は円状に限定されず、例えば正方形であってもよい。
【００１７】
図４は、本発明の実施の形態１における枠部２３及び保護部２６を示す側面断面図である。次に、枠部２３及び保護部２６について詳細に説明する。枠部２３の枠開口２３ａの外周には、第１の磁性体２３ｂが埋め込まれている。また、保護部２６の周縁部には、第２の磁性体２６ｂが設けられている。枠部２３と保護部２６とは、第１の磁性体２３ｂと第２の磁性体２６ｂとの磁力によって互いに引き寄せられている。これにより、保護部２６は、枠部２３に着脱自在に取り付けられている。
【００１８】
なお、磁性体は、枠部２３及び保護部２６のいずれか一方に設けられていてもよい。この場合、磁性体が設けられていない方には、磁力によって引き寄せられる鉄材等が設けられる。また、第１の磁性体２３ｂは、枠部２３の枠開口２３ａの外周の一部に設けられていてもよい。また、第２の磁性体２６ｂは、保護部２６の周縁部の一部に設けられてもいてもよい。これにより、磁性体の量を削減することができる。更に、第１の磁性体２３ｂは、枠部２３の枠開口２３ａの上部に設けられていてもよい。この場合、第２の磁性体２６ｂは、保護部２６の周縁部における上部に設けられる。これにより、磁性体が一部に設けられる場合でも、保護部２６が重力によって枠部２３に対し回転して脱落することを抑制することができる。なお、第２の磁性体２６ｂは、保護部２６の全体に設けられてもよい。これにより、保護部２６が枠部２３に引き寄せられ易くなる。このように、枠部２３及び保護部２６の少なくとも一方は磁性体を有している。
【００１９】
また、保護部２６は、枠部２３側の面に、指を掛ける指掛け部２６ａを有している。指掛け部２６ａは、保護部２６が本体部２２に落下した後に復旧する際に使用されるものである。保護部２６は、押し釦２４側に押下されて枠部２３から取り外されているときに、押し釦２４の前面に沿ってスライド可能とされている。また、指掛け部２６ａは、保護部２６の表面から凹んでいる。
【００２０】
図５〜図９は、本発明の実施の形態１に係る発信機１の動作を示す側面断面図である。次に、発信機１の動作について説明する。図５は、保護部２６が押下され始める状態を示す図である。図５に示すように、火災等が発生した場合、火災等を発見した人は、先ず、枠部２３の枠開口２３ａに指を差し込み、指で保護部２６を押下する。このとき、磁力によって枠部２３に取り付けられていた保護部２６が、枠部２３から若干離れる。このように、保護部２６は、押し釦２４側に押下されることによって、枠部２３から取り外される。図６は、押下された保護部２６が押し釦２４を押下する状態を示す図である。図６に示すように、人は、指で保護部２６を更に押下する。保護部２６は、キャップ２５に当たってキャップ２５と共に押し釦２４を押下し、押し釦２４がスイッチ部１４の内部に挿入される。これにより、押下式スイッチ５がオンされた状態となり、発信機１が防災盤等に火災信号を発信する。
【００２１】
図７は、押下が解除された（指を離した）保護部２６が本体部２２に落下している状態を示す図である。図７に示すように、火災信号が発信されると、人は、保護部２６から指を離して、保護部２６の押下を解除する。これにより、保護部２６は、本体部２２の底部に落下する。また、押下式スイッチ５は自己保持型であるため、押し釦２４はスイッチ部１４の内部に挿入されたままである。そして、キャップ２５が枠部２３側に移動して元の位置に戻ると共に、保護部２６を枠部２３側に戻す。このとき、保護部２６の第２の磁性体２６ｂは、枠部２３の第１の磁性体２３ｂから距離が離れているため、保護部２６は、枠部２３に引き寄せられることなく本体部２２に落下したままとなる。このように、押し釦２４が押下されて火災信号が発信されると、保護部２６が本体部２２に落下したままとなる。このため、発信機１を操作した人以外の第３者でも、発信機１が、火災信号を発信した発信機１か否かを目視で瞬時に認識することができる。
【００２２】
図８は、本体部２２に落下した保護部２６が移動される状態を示す図である。図８に示すように、火災信号が発信された後、発信機１を復旧する際、人は、指で保護部２６を押下する。保護部２６は、キャップ２５に当たってキャップ２５と共に押し釦２４を押下し、押し釦２４がスイッチ部１４の内部から突出する。これにより、押下式スイッチ５がオフされた状態となる。その際、押し釦２４と共にキャップ２５が枠部２３側に移動して元の位置（形状）に戻ると共に、キャップ２５が保護部２６を枠部２３側に戻す。その後、落下した保護部２６を元の位置に戻すため、人は、保護部２６の指掛け部２６ａに指を引っ掛けて、保護部２６をキャップ２５に沿わせて上方にずらす。
【００２３】
図９は、保護部２６が元の位置に戻った状態を示す図である。図９に示すように、人が指を指掛け部２６ａに引っ掛けて、保護部２６をキャップ２５（押し釦２４）に沿わせて上方にずらし、保護部２６の第２の磁性体２６ｂが枠部２３の第１の磁性体２３ｂに近づくと、磁力によって、保護部２６が枠部２３に取り付けられる。これにより、保護部２６が元の位置に戻り、復旧作業が完了する。なお、キャップ２５が省略されている場合、保護部２６を押し釦２４に沿わせて上方にずらすことによって、磁力によって保護部２６が枠部２３に取り付けられる。
【００２４】
本実施の形態１によれば、保護部２６は、磁力によって枠部２３に取り付けられている。このため、保護部２６が押し釦２４側に押下されて本体部２２内に落下しても、枠部２３の外側から保護部２６を動かすだけで、磁力によって保護部２６が枠部２３に再び取り付けられる。よって、火災信号が発信された後の復旧時に、化粧板２７及び枠部２３等を取り外す必要がないため、復旧時の作業が簡易である。
【００２５】
従来、押下式スイッチが押下されると、保護板が枠部材から外れて、取付部材の内部に落下して留まる発信機が知られている。この発信機は、火災信号が発信された後の復旧時において、枠部材を取り外して保護板を取り出し、再度枠部材に装着して、枠部材を取り付ける必要がある。これに対し、本実施の形態１は、化粧板２７及び枠部２３等を取り外す必要がないため、復旧時の作業が簡易である。更に、従来、発信機として、ビル用の発信機が知られている。ビル用の発信機には、リセットボタンが操作されることによって、押下式スイッチが復旧するものがあるが、防水型の発信機にビル用の発信機と同様のリセットボタンによる復旧方法を適用しようとしても、リセットボタン式の場合、保護板の下部を回転軸に上方を押し込む構成のため、防水型発信機に採用されている押下式スイッチに適用しても押し釦をオン状態まで押し込めない。このため、適用することができない。そこで、本実施の形態１のように、保護部２６が磁力によって枠部２３に取り付けられている構成とすれば、ビル用の発信機のようなリセットボタン式を採用しなくても、簡易に復旧することができる。また、従来、押下式スイッチが押下されると、保護板が破れる発信機が知られている。この発信機は、一度使用されると保護板が破れるため、復旧時に新しい保護板に交換する必要がある。これに対し、本実施の形態１は、保護部２６が破壊されないため、保護部２６を再利用することができ、コストを削減することができる。
【００２６】
また、保護部２６は、枠部２３側の面に、指を掛ける指掛け部２６ａを有し、指掛け部２６ａに掛けられた指によって保護部２６が移動されて、枠部２３から取り外された状態から枠部２３に取り付けられた状態に戻すことができる。本実施の形態１では、保護部２６に指掛け部２６ａが設けられたことによって、人が指で保護部２６を移動させ易い。これにより、復旧作業が更に簡易になるという効果を奏する。
【００２７】
更に、指掛け部２６ａは、保護部２６の表面から凹んでいる。これにより、保護部２６の外形を大きくすることなく、保護部２６に指掛け部２６ａを設けることができる。なお、指掛け部２６ａの位置は、保護部２６の表面の中央に限らず、保護部２６の表面のいずれの位置でもよい。また、指掛け部２６ａは、保護部２６の表面から凹んでいてもよいし、突出していてもよい。
【符号の説明】
【００２８】
１  発信機、２  防災設備、３  筐体、３ａ  開口、４  扉、４ａ  取っ手、５  押下式スイッチ、１１  発信部、１２  ベース、１２ａ  パッキン、１３  押さえ板、１４  スイッチ部、１５  カバー、１６  螺子、２１  操作部、２２  本体部、２２ａ  中空部、２２ｄ  本体開口、２３  枠部、２３ａ  枠開口、２３ｂ  第１の磁性体、２４  押し釦、２５  キャップ、２６  保護部、２６ａ  指掛け部、２６ｂ  第２の磁性体、２７  化粧板、２７ａ  取付穴、２８  端子部。
【図１】
0006671241.tif 000002
【図２】
0006671241.tif 000003
【図３】
0006671241.tif 000004
【図４】
0006671241.tif 000005
【図５】
0006671241.tif 000006
【図６】
0006671241.tif 000007
【図７】
0006671241.tif 000008
【図８】
0006671241.tif 000009
【図９】
0006671241.tif 000010